【手続補正書】
【提出日】平成15年8月1日(2003.8.1)
【手続補正１】
【補正対象書類名】明細書
【補正対象項目名】特許請求の範囲
【補正方法】変更
【補正の内容】
【特許請求の範囲】
【請求項１】
遊技盤の遊技領域に設けられた入賞口に遊技球が入賞したことを条件として、排出制御装置に賞球数情報を送信する遊技制御装置と、
上記排出制御装置に設けられて上記賞球数情報を記憶する揮発性記憶手段と、
上記揮発性記憶手段の賞球数情報に基づいて上記排出制御装置により通電される駆動源を備え、排出センサからの検出信号に基づいて所定数の遊技球を排出する排出装置と、
遊技機外部から供給される定格電圧から所定の電源電圧を生成して上記各制御装置に供給する電源装置と、
上記揮発性記憶手段とは別個に設けられて、停電中においても特定の情報を記憶可能な記憶手段と、
を備える遊技機において、
上記電源装置は、
上記定格電圧の遮断を検出可能な停電検出手段と、
該停電検出手段によって生成される停電検出信号を上記排出制御装置に送信可能な送信手段と、
を少なくとも備え、
上記排出制御装置は、
上記停電検出手段によって生成される停電検出信号を受信した際に、上記排出装置の駆動源の停止処理を行い、該駆動源の停止から所定時間が経過した場合に上記排出センサを有効状態から無効状態にし、
上記排出装置の駆動源の停止処理後、上記所定時間が経過するまでの上記排出センサの遊技球検出結果を反映した未排出分の賞球数情報を、上記揮発性記憶手段から上記記憶手段に転写する特定記憶情報転写手段を備えることを特徴とする遊技機。
【請求項２】
上記停電検出信号の受信に基づいて、上記揮発性記憶手段に記憶された記憶情報を、保護すべき特定の記憶情報と、保護する必要のない作業データとに分別する記憶情報分別手段を備え、
上記特定記憶情報転写手段は、上記記憶情報分別手段によって分別された上記賞球数情報を上記記憶手段に転写することを特徴とする請求項１に記載の遊技機。
【手続補正２】
【補正対象書類名】明細書
【補正対象項目名】００１３
【補正方法】変更
【補正の内容】
【００１３】
本発明は上記問題点を解決すべく案出されたものであり、停電発生時に、賞球数情報など停電復旧時まで保護すべき特定の記憶情報をバックアップすることのできる遊技機を提供することを目的とする。


【手続補正３】
【補正対象書類名】明細書
【補正対象項目名】００１４
【補正方法】変更
【補正の内容】
【００１４】
【課題を解決するための手段】
上記目的達成のため、本発明に係る遊技機は、遊技盤の遊技領域に設けられた入賞口に遊技球が入賞したことを条件として、排出制御装置に賞球数情報を送信する遊技制御装置と、上記排出制御装置に設けられて上記賞球数情報を記憶する揮発性記憶手段と、上記揮発性記憶手段の賞球数情報に基づいて上記排出制御装置により通電される駆動源を備え、排出センサからの検出信号に基づいて所定数の遊技球を排出する排出装置と、遊技機外部から供給される定格電圧から所定の電源電圧を生成して上記各制御装置に供給する電源装置と、上記揮発性記憶手段とは別個に設けられて、停電中においても特定の情報を記憶可能な記憶手段とを備える遊技機において、上記電源装置は、上記定格電圧の遮断を検出可能な停電検出手段と、該停電検出手段によって生成される停電検出信号を上記排出制御装置に送信可能な送信手段とを少なくとも備え、上記排出制御装置は、上記停電検出手段によって生成される停電検出信号を受信した際に、上記排出装置の駆動源の停止処理を行い、該駆動源の停止から所定時間が経過した場合に上記排出センサを有効状態から無効状態にし、上記排出装置の駆動源の停止処理後、上記所定時間が経過するまでの上記排出センサの遊技球検出結果を反映した未排出分の賞球数情報を、上記揮発性記憶手段から上記記憶手段に転写する特定記憶情報転写手段を備えるようにしたものである。


【手続補正４】
【補正対象書類名】明細書
【補正対象項目名】００１５
【補正方法】変更
【補正の内容】
【００１５】
これによれば、停電発生時に、まず排出装置の駆動源が停止され、所定時間が経過するまでの間は遊技媒体の検出手段が有効とされるので、例えば検出手段が先に無効（即ち電源断状態）となって排出装置の駆動源が停止するまでに排出された遊技媒体数が検出不能となる事態を回避することができる。しかも、特定記憶情報転写手段は、排出装置の駆動源の停止処理後、所定時間が経過するまでの検出手段の遊技媒体検出結果を反映した遊技価値に関する情報を、保護すべき特定記憶情報として上記記憶手段に転写するようになっているので、排出制御装置は停電復旧後に、停電発生前の正確な情報（例えば、停電直前の賞球数情報等）に基づいて賞球等の排出を再開することができるので、公正を保つことができ、遊技機の信頼性を高めることができる。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】変更
【補正の内容】
【００１８】
また、上記停電検出信号の受信に基づいて、上記揮発性記憶手段に記憶された記憶情報を、保護すべき特定の記憶情報と、保護する必要のない作業データとに分別する記憶情報分別手段を備え、上記特定記憶情報転写手段は、上記記憶情報分別手段によって分別された上記賞球数情報を上記記憶手段に転写するようにしてもよい。


【手続補正８】
【補正対象書類名】明細書
【補正対象項目名】００１９
【補正方法】変更
【補正の内容】
【００１９】
これによれば、停電の発生が上記停電検出手段によって検出された場合に、上記各制御装置は、上記電源装置からの電源電圧の供給が途絶える前に、上記停電検出手段によって生成される停電検出信号に基づいて、記憶情報分別手段が、各揮発性記憶手段に記憶された記憶情報を、保護すべき特定の記憶情報と、保護する必要のない作業データとに分別し、特定記憶情報転写手段が停電時に上記記憶情報分別手段によって分別された上記賞球数情報を、その情報を保護するための記憶手段に転送することができる。したがって、停電が発生しても電源電圧が完全に途絶える前に、若干のタイムラグ（電源装置の構成によるが、例えば１５秒程度）があるので、その間に保護すべき特定の記憶情報（例えば、賞球数情報等）を確実にバックアップすることができる。よって、停電復旧後に、停電発生前の賞球数情報等に基づいて遊技を再開することができるので、停電に伴い遊技者に不測の不利益を及ぼすことを未然に防止することができ、遊技店と遊技者とのトラブル発生を回避することができる。
【手続補正９】
【補正対象書類名】明細書
【補正対象項目名】００２０
【補正方法】削除
【補正の内容】
【手続補正１０】
【補正対象書類名】明細書
【補正対象項目名】００７７
【補正方法】変更
【補正の内容】
【００７７】
ステップＳ５では、排出制御装置Ｂａ２内の通常のＲＡＭ２０３に記憶された記憶情報を、停電時に保護すべき特定の記憶情報（例えば、賞球数情報等）と、保護する必要のない記憶情報（例えば、作業領域のデータ等）とに分別してからステップＳ６に進み、ステップＳ５で分別した保護すべき特定の記憶情報を、排出制御装置Ｂａ３の外部のバックアップ用ＲＡＭ４００に転写して処理を終了する。


【手続補正１１】
【補正対象書類名】明細書
【補正対象項目名】００９２
【補正方法】変更
【補正の内容】
【００９２】
【発明の効果】
本発明によれば、遊技盤の遊技領域に設けられた入賞口に遊技球が入賞したことを条件として、排出制御装置に賞球数情報を送信する遊技制御装置と、上記排出制御装置に設けられて上記賞球数情報を記憶する揮発性記憶手段と、上記揮発性記憶手段の賞球数情報に基づいて上記排出制御装置により通電される駆動源を備え、排出センサからの検出信号に基づいて所定数の遊技球を排出する排出装置と、遊技機外部から供給される定格電圧から所定の電源電圧を生成して上記各制御装置に供給する電源装置と、上記揮発性記憶手段とは別個に設けられて、停電中においても特定の情報を記憶可能な記憶手段とを備える遊技機において、上記電源装置は、上記定格電圧の遮断を検出可能な停電検出手段と、該停電検出手段によって生成される停電検出信号を上記排出制御装置に送信可能な送信手段とを少なくとも備え、上記排出制御装置は、上記停電検出手段によって生成される停電検出信号を受信した際に、上記排出装置の駆動源の停止処理を行い、該駆動源の停止から所定時間が経過した場合に上記排出センサを有効状態から無効状態にし、上記排出装置の駆動源の停止処理後、上記所定時間が経過するまでの上記排出センサの遊技球検出結果を反映した未排出分の賞球数情報を、上記揮発性記憶手段から上記記憶手段に転写する特定記憶情報転写手段を備えるようにしたので、停電発生時に、まず排出装置の駆動源が停止され、所定時間が経過するまでの間は遊技媒体の検出手段が有効とされるので、例えば検出手段が先に無効（即ち電源断状態）となって排出装置の駆動源が停止するまでに排出された遊技媒体数が検出不能となる事態を回避することができるという効果がある。
また、特定記憶情報転写手段は、排出装置の駆動源の停止処理後、所定時間が経過するまでの検出手段の遊技媒体検出結果を反映した遊技価値に関する情報を、保護すべき特定記憶情報として上記記憶手段に転写するようになっているので、排出制御装置は停電復旧後に、停電発生前の正確な情報（例えば、停電直前の賞球数情報等）に基づいて賞球等の排出を再開することができるので、公正を保って遊技店と遊技者とのトラブル発生を確実に回避することができ、遊技機の信頼性を高めることができるという効果がある。
【手続補正１２】
【補正対象書類名】明細書
【補正対象項目名】００９３
【補正方法】変更
【補正の内容】
【００９３】
また、上記停電検出信号の受信に基づいて、上記揮発性記憶手段に記憶された記憶情報を、保護すべき特定の記憶情報と、保護する必要のない作業データとに分別する記憶情報分別手段を備え、上記特定記憶情報転写手段は、上記記憶情報分別手段によって分別された上記賞球数情報を上記記憶手段に転写するようにできる。これによれば、停電の発生が上記停電検出手段によって検出された場合に、上記各制御装置は、上記電源装置からの電源電圧の供給が途絶える前に、上記停電検出手段によって生成される停電検出信号に基づいて、記憶情報分別手段が、各揮発性記憶手段に記憶された記憶情報を、保護すべき特定の記憶情報と、保護する必要のない作業データとに分別し、特定記憶情報転写手段が停電時に上記記憶情報分別手段によって分別された上記賞球数情報を、その情報を保護するための記憶手段に転送することができる。したがって、停電が発生しても電源電圧が完全に途絶える前に、若干のタイムラグ（電源装置の構成によるが、例えば１５秒程度）があり、その間に保護すべき特定の記憶情報（例えば、賞球数情報等）を確実にバックアップすることができ、停電復旧後に、停電発生前の賞球数情報等に基づいて遊技を再開することができるので、停電に伴い遊技者に不測の不利益を及ぼすことを未然に防止することができ、遊技店と遊技者とのトラブル発生を回避することができるという効果がある。
【手続補正１３】
【補正対象書類名】明細書
【補正対象項目名】００９４
【補正方法】削除
【補正の内容】